(57)【要約】【課題】店側にとって使い勝手のよいＰＯＰ用電子機器を提供する。【解決手段】ＰＯＰ用ＤＶＤ再生機能付テレビジョン装置１００において、入力操作を行うための操作入力部（キー入力部６或いは、リモコン４）を備え、操作入力部６、４により第１の入力操作がなされたときに、無効手段（例えば、ＣＰＵ８１等）により予め設定された入力操作を無効或いは制限し、また、予め設定された入力操作を無効或いは制限した状態で、操作入力部６、４により第２の入力操作がなされたときに、無効解除手段（例えば、ＣＰＵ８１等）により予め設定された入力操作の無効或いは制限を解除する。【選択図】図３
2007018653.tif 000002
【特許請求の範囲】
【請求項１】
ＰＯＰ用に展示されるＰＯＰ用電子機器であって、
入力操作を行うための操作入力部と、
音声を出力する音声出力部と、
ディスクを再生するディスク再生部と、
前記ディスク再生部にディスクを挿入するとともに、前記ディスク再生部からディスクを排出する挿入・排出部と、
前記操作入力部により第１の入力操作がなされたときに、予め設定された入力操作を無効或いは制限する無効手段と、
前記無効手段により、前記予め設定された入力操作が無効或いは制限された状態で、前記操作入力部により第２の入力操作がなされたときに、前記予め設定された入力操作の無効或いは制限を解除する解除手段と、
前記無効手段により無効或いは制限される入力操作が異なる複数のＰＯＰモードと、
を備え、
前記操作入力部による前記第１の入力操作により、前記複数のＰＯＰモードのうち、何れか一つを選択して設定可能であり、
前記予め設定された入力操作には、前記音声出力部の音量調節操作と、前記挿入・排出部によるディスクの排出操作が含まれ、
前記無効手段は、前記操作入力部による前記第１の入力操作により音量の調節範囲を制限するとともに、前記挿入・排出部によるディスクの排出操作を無効にすることを特徴とするＰＯＰ用電子機器。
【請求項２】
ＰＯＰ用に展示されるＰＯＰ用電子機器であって、
入力操作を行うための操作入力部と、
前記操作入力部により第１の入力操作がなされたときに、予め設定された入力操作を無効或いは制限する無効手段と、
前記無効手段により、前記予め設定された入力操作が無効或いは制限された状態で、前記操作入力部により第２の入力操作がなされたときに、前記予め設定された入力操作の無効或いは制限を解除する解除手段と、
を備えていることを特徴とするＰＯＰ用電子機器。
【請求項３】
請求項２に記載のＰＯＰ用電子機器において、
前記無効手段により無効或いは制限される入力操作が異なる複数のＰＯＰモードを備え、
前記操作入力部による前記第１の入力操作により、前記複数のＰＯＰモードのうち、何れかを選択して設定可能であることを特徴とするＰＯＰ用電子機器。
【請求項４】
請求項２又は３に記載のＰＯＰ用電子機器において、
音声を出力する音声出力部を備え、
前記予め設定された入力操作には、前記音声出力部の音量調節操作が含まれ、
前記無効手段は、前記操作入力部による前記第１の入力操作により音量の調節範囲を制限することを特徴とするＰＯＰ用電子機器。
【請求項５】
請求項２〜４の何れか一項に記載のＰＯＰ用電子機器において、ディスクを再生するディスク再生部と、
前記ディスク再生部にディスクを挿入するとともに、前記ディスク再生部からディスクを排出する挿入・排出部と、を備え、
前記予め設定された入力操作には、前記挿入・排出部によるディスクの排出操作が含まれ、
前記無効手段は、前記操作入力部により前記第１の入力操作がなされたときに、前記挿入・排出部によるディスクの排出操作を無効にすることを特徴とするＰＯＰ用電子機器。
【発明の詳細な説明】
【技術分野】
【０００１】
本発明は、ＰＯＰ用電子機器に関する。
【背景技術】
【０００２】
従来、消費者が電子機器を購入する店頭には、ＰＯＰ（Point of Purchase）用にそれ
ら電子機器が展示されている。ＰＯＰ用として展示される電子機器には、例えば、テレビジョン装置、ＶＣＲ（Video Cassette Recorder）、ＤＶＤ（Digital Versatile Disc）
プレーヤ、ＤＶＤプレーヤ内蔵型テレビジョン装置等がある。
【０００３】
このようなＰＯＰ用の展示には、販売用の電子機器がそのまま用いられているため、店を訪れる客によって、ＰＯＰ用に展示された電子機器が勝手に操作されてしまうという問題があった。具体的には、客がＰＯＰ用に展示された電子機器の操作部やリモコン等を操作することにより、音量が変えられてしまう、ビデオやディスクが盗まれてしまう、主電源のオン／オフが切り替えられてしまう、チャンネルが変えられてしまう等の問題である。
【０００４】
そこで、従来、所定の操作により機器全体の操作の有効／無効を切り替える機器として、キーボード上に取り付けられたキースイッチの中の、特定のキースイッチの押し下げ動作が予め設定された時間内に予め設定された回数があったときに、このキースイッチを除く全キースイッチの有効または無効状態が反転するように制御する制御回路を備えたキーボード(例えば、特許文献１参照)等が開示されている。
【特許文献１】特開昭６２−１４２１８号公報
【発明の開示】
【発明が解決しようとする課題】
【０００５】
しかしながら、特許文献１に開示されている技術は、一般ユーザの使用に際して用いられている技術であってＰＯＰ用電子機器においては、全く適用されていなかった。また、特許文献１に開示されている技術は、機器全体の操作の有効／無効を切り替える技術だけなので、例えば、ＤＶＤ再生機能付きテレビジョン装置の場合、イジェクトスイッチは無効だが音量調節スイッチは有効であるため音量の調節は行える等といった、ＰＯＰ用電子機器における多様なニーズに応えることができないという問題もあった。
【０００６】
本発明は、前記課題を解決するためになされたものであって、店側にとって使い勝手のよいＰＯＰ用電子機器を提供する。
【課題を解決するための手段】
【０００７】
以上の課題を解決するため、請求項１に記載の発明は、ＰＯＰ用に展示されるＰＯＰ用電子機器であって、
入力操作を行うための操作入力部と、
音声を出力する音声出力部と、
ディスクを再生するディスク再生部と、
前記ディスク再生部にディスクを挿入するとともに、前記ディスク再生部からディスクを排出する挿入・排出部と、
前記操作入力部により第１の入力操作がなされたときに、予め設定された入力操作を無効或いは制限する無効手段と、
前記無効手段により、前記予め設定された入力操作が無効或いは制限された状態で、前記操作入力部により第２の入力操作がなされたときに、前記予め設定された入力操作の無
効或いは制限を解除する解除手段と、
前記無効手段により無効或いは制限される入力操作が異なる複数のＰＯＰモードと、
を備え、
前記操作入力部による前記第１の入力操作により、前記複数のＰＯＰモードのうち、何れか一つを選択して設定可能であり、
前記予め設定された入力操作には、前記音声出力部の音量調節操作と、前記挿入・排出部によるディスクの排出操作が含まれ、
前記無効手段は、前記操作入力部による前記第１の入力操作により音量の調節範囲を制限するとともに、前記挿入・排出部によるディスクの排出操作を無効にすることを特徴とする。
【０００８】
ここで、第１の入力操作と第２の入力操作は、同一の操作であってもよいし、異なる操作であってもよい。
【０００９】
請求項２に記載の発明は、ＰＯＰ用に展示されるＰＯＰ用電子機器であって、
入力操作を行うための操作入力部と、
前記操作入力部により第１の入力操作がなされたときに、予め設定された入力操作を無効或いは制限する無効手段と、
前記無効手段により、前記予め設定された入力操作が無効或いは制限された状態で、前記操作入力部により第２の入力操作がなされたときに、前記予め設定された入力操作の無効或いは制限を解除する解除手段と、
を備えていることを特徴とする。
【００１０】
請求項３に記載の発明は、請求項２に記載のＰＯＰ用電子機器において、
前記無効手段により無効或いは制限される入力操作が異なる複数のＰＯＰモードを備え、
前記操作入力部による前記第１の入力操作により、前記複数のＰＯＰモードのうち、何れかを選択して設定可能であることを特徴とする。
【００１１】
請求項４に記載の発明は、請求項２又は３に記載のＰＯＰ用電子機器において、音声を出力する音声出力部を備え、
前記予め設定された入力操作には、前記音声出力部の音量調節操作が含まれ、
前記無効手段は、前記操作入力部による前記第１の入力操作により音量の調節範囲を制限することを特徴とする。
【００１２】
請求項５に記載の発明は、請求項２〜４の何れか一項に記載のＰＯＰ用電子機器において、ディスクを再生するディスク再生部と、
前記ディスク再生部にディスクを挿入するとともに、前記ディスク再生部からディスクを排出する挿入・排出部と、を備え、
前記予め設定された入力操作には、前記挿入・排出部によるディスクの排出操作が含まれ、
前記無効手段は、前記操作入力部により前記第１の入力操作がなされたときに、前記挿入・排出部によるディスクの排出操作を無効にすることを特徴とする。
【発明の効果】
【００１３】
請求項１に記載の発明によれば、ＰＯＰ用電子機器において、操作入力部により第１の入力操作がなされたときに、予め設定された入力操作が無効或いは制限されるため、店を訪れる客による勝手な操作を防止することができる。また、予め設定された入力操作が無効或いは制限された状態で、操作入力部により第２の入力操作がなされたときに、予め設定された入力操作の無効或いは制限が解除されるため、店員は必要に応じて入力操作の無効を解除し、入力操作を行うことができる。したがって、店側にとって使い勝手のよいＰ
ＯＰ用電子機器を提供することができる。
【００１４】
また、無効手段により無効或いは制限される入力操作が異なる複数のＰＯＰモードを備え、操作入力部による第１の入力操作により、複数のＰＯＰモードのうち、何れかを選択して設定可能であるため、ＰＯＰ用電子機器における多様なニーズに応えることができる。
【００１５】
また、予め設定された入力操作には、音声出力部の音量調節操作と、挿入・排出部によるディスクの排出操作が含まれ、無効手段は、操作入力部による第１の入力操作により音量の調節範囲を制限するとともに、挿入・排出部によるディスクの排出操作を無効にするため、客による勝手な音量の調節と、ディスクの盗難を防止することができる。
【００１６】
請求項２に記載の発明によれば、ＰＯＰ用電子機器において、操作入力部により第１の入力操作がなされたときに、予め設定された入力操作が無効或いは制限されるため、店を訪れる客による勝手な操作を防止することができる。また、予め設定された入力操作が無効或いは制限された状態で、操作入力部により第２の入力操作がなされたときに、予め設定された入力操作の無効或いは制限が解除されるため、店員は必要に応じて入力操作の無効を解除し、入力操作を行うことができる。したがって、店側にとって使い勝手のよいＰＯＰ用電子機器を提供することができる。
【００１７】
請求項３に記載の発明によれば、請求項２に記載の発明の効果が得られるのは無論のこと、操作入力部による第１の入力操作により、複数のＰＯＰモードのうち、何れかを選択して設定可能であるため、ＰＯＰ用電子機器における多様なニーズに応えることができる。
【００１８】
請求項４に記載の発明によれば、請求項２又は３に記載の発明の効果が得られるのは無論のこと、操作入力部により第１の入力操作がなされたときに、音量の調節範囲が制限されるので、客による勝手な音量の調節を防止することができる。
【００１９】
請求項５に記載の発明によれば、請求項２〜４に記載の発明の効果が得られるのは無論のこと、無効手段により、操作入力部により第１の入力操作がなされたときに、挿入・排出部によるディスクの排出操作が無効とされるので、ディスク再生部内に挿入されたディスクの盗難を防止することができる。
【発明を実施するための最良の形態】
【００２０】
以下、本発明の実施の形態を、図を参照しながら詳細に説明する。
【００２１】
まず、装置全体の構成を説明する。図１はＰＯＰ用ＤＶＤ再生機能付テレビジョン装置の正面図である。
【００２２】
図１に示すように、例えば、ＰＯＰ用電子機器としてのＰＯＰ用ＤＶＤ再生機能付テレビジョン装置１００（以下、ＰＯＰ用ＤＶＤ付テレビという。）は、デジタル放送波を受信するテレビジョン装置２００にＤＶＤプレーヤ３００が内蔵されたものであり、機器本体１と、画像を表示する表示部２と、ＤＶＤを再生するディスク再生部３と、を備えるとともに、ユーザが各種指示を遠隔操作によって入力するためのリモートコントローラ４（以下、リモコンという。）を備えている。
【００２３】
機器本体１の前面パネル１ａには、機器本体１内に備えられたディスク再生部３（図３参照）にＤＶＤを挿入したり、或いはディスク再生部３からＤＶＤを取り出すためのディスク挿入・排出部５と、ユーザが各種指示を入力するためのキー入力部６と、リモコン４からの操作入力信号を受信するリモコン信号受信部７と、が設けられている。
【００２４】
キー入力部６は、ＯＮ／ＯＦＦキー（図示省略）、ＰＬＡＹキー(図示省略)、ＳＴＯＰキー（図示省略）、ＰＡＵＳＥキー（図示省略）、ＦＦキー（図示省略）、ＲＥＷキー（
図示省略）、ＥＪＥＣＴキー６１、音量調節キー６２等を備えており、キー入力部６は、操作入力部として機能する。
【００２５】
ＥＪＥＣＴキー６１は、ＰＯＰモード切替キーと共有する形で設けられており、例えば、ＥＪＥＣＴキー６１の押下操作による押下時間の長さによって、ＥＪＥＣＴキーとしての機能と、ＰＯＰモード切替キーとしての機能とが区別される。
【００２６】
リモコン４は、ＯＮ／ＯＦＦキー（図示省略）、ＰＬＡＹキー(図示省略)、ＳＴＯＰキー（図示省略）、ＰＡＵＳＥキー（図示省略）、ＦＦキー（図示省略）、ＲＥＷキー（図示省略）、ＥＪＥＣＴキー４１、音量調節キー４２等を備えており、リモコン４は、操作入力部として機能する。
【００２７】
ＥＪＥＣＴキー４１は、ＰＯＰモード切替キーと共有する形で設けられており、ＥＪＥＣＴキー４１の押下操作による押下認識時間の長さによって、ＥＪＥＣＴキーとしての機能と、ＰＯＰモード切替キーとしての機能とが区別される。
【００２８】
具体的には、図２に示すように、キー入力部６とリモコン４とに設けられたＥＪＥＣＴキー６１、４１のキーの押下時間ｔについて、ＥＪＥＣＴキー６１として機能させる場合をｔ１、ＰＯＰモード切替キーとして機能させる場合をｔ２とし、例えば、ｔ１＜３＜ｔ２秒とすると、ＥＪＥＣＴキー６１を、ＰＯＰモード切替キーとして機能させるには、３秒間以上の押下操作（第１の入力操作）が必要とされる。また、第２の入力操作における、ＥＪＥＣＴキーによるＰＯＰモードの解除には、同様に、３秒間の押下操作（第２の入力操作）が必要とされる。すなわち、ＥＪＥＣＴキー６１、４１は、３秒間以上押下されることによって初めてＰＯＰモード切替キー６１として機能する。
【００２９】
図３はＰＯＰ用ＤＶＤ付テレビ１００の内部構成を示すブロック図である。
【００３０】
図３に示すように、ＰＯＰ用ＤＶＤ付テレビ１００は、上記した構成の他、制御部８と、チューナ部９と、デコーダ部１０と、ＯＳＤ制御部１１と、画像処理部１２と、音声処理部１３と、音声出力部１４と、ディスク再生部３等から構成される。
【００３１】
制御部８は、ＣＰＵ（Central Processing Unit）８１と、ＲＯＭ(Read Only Memory)
８２とメモリ部８３と、計時部８４と、入力ポート８５と、出力ポート８６と、等を備えている。
【００３２】
ＣＰＵ８１は、キー入力部６の各種キー、リモコン信号受信部７から入力ポート８５を介して入力された入力信号に応じて、ＲＯＭ８２に格納された各種プログラムを実行し、出力ポート８６を介して各部に出力信号を出力することによって、ＰＯＰ用ＤＶＤ付テレビ１００の動作全般を制御する。
【００３３】
ＲＯＭ８２には、ＣＰＵ８１によって実行される各種データ処理プログラムの他、データ処理プログラムに係る各種初期設定値等のデータが格納されている。具体的には、ＲＯＭ８２には、ＰＯＰモード設定制御プログラム８２ａ、ＰＯＰモードＡ制御プログラム８２ｂ及びＰＯＰモードＢ制御プログラム８２ｃ等が格納されている。
【００３４】
ＰＯＰモード設定制御プログラム８２ａは、ＣＰＵ８１に、キー入力部６のＰＯＰモード切替キー（ＥＪＥＣＴキー）６１の押下操作（第１の操作入力）に基づく操作入力信号又はリモコン４のＰＯＰモード切替キー（ＥＪＥＣＴキー）４１の押下操作（第１の操作入力）に基づいて送信された操作入力信号のリモコン信号受信部７による受信によって、通常モード、ＰＯＰモードＡ及びＰＯＰモードＢの何れか一つを設定する機能を実現させるためのプログラムである。
【００３５】
また、ＰＯＰモード設定制御プログラム８２ａは、ＣＰＵ８１に、キー入力部６のＰＯＰモード切替キー（ＥＪＥＣＴキー）６１の押下操作（第１の操作入力）に基づく操作入
力信号又はリモコン４のＰＯＰモード切替キー（ＥＪＥＣＴキー）４１の押下操作（第１の操作入力）に基づいて送信された操作入力信号のリモコン信号受信部７による受信に基づいて、設定されるモードの表示を表示部２にＯＳＤ表示させる機能を実現させる。
【００３６】
さらに、ＰＯＰモード設定制御プログラム８２ａは、ＣＰＵ８１に、キー入力部６のＰＯＰモード切替キー（ＥＪＥＣＴキー）６１の押下操作（第２の操作入力）に基づく操作入力信号又はリモコン４のＰＯＰモード切替キー（ＥＪＥＣＴキー）４１の押下操作（第２の操作入力）に基づいて送信された操作入力信号のリモコン信号受信部７による受信に基づいて、ＰＯＰモードＡ及びＰＯＰモードＢの設定を解除する機能を実現させるためのプログラムである。
【００３７】
ここで、通常モードとは、キー入力部６とリモコン４の全てのキーからの入力操作が有効とされるモードをいう。
【００３８】
ＰＯＰモードＡとは、例えば、キー入力部６のＥＪＥＣＴキー６１、リモコン４のＥＪＥＣＴキー４１からの入力操作が無効とされるモードをいう。
【００３９】
ＰＯＰモードＢとは、例えば、キー入力部６のＥＪＥＣＴキー６１とリモコン４のＥＪＥＣＴキー４１が無効とされることに加え、キー入力部６の音量調節キー６２とリモコン４の音量調節キー４２からの入力操作が制限されるモードをいう。具体的には、ＰＯＰモードＢでは、音量調節可能な音量範囲が、例えば、通常、０〜１０のレベルであったとすると、音量調節可能な音量範囲が４〜６のレベルに制限される。
【００４０】
ＰＯＰモードＡ制御プログラム８２ｂは、ＣＰＵ８１に、キー入力部６のＥＪＥＣＴキー６１とリモコン４のＥＪＥＣＴキー４１からの入力操作を制限する機能を実現させる。また、キー入力部６のＥＪＥＣＴキー６１とリモコン４のＥＪＥＣＴキー４１からの入力操作が制限されている間、設定されているモードの表示を表示部２にＯＳＤ表示させる機能を実現させる。
【００４１】
ＰＯＰモードＢ制御プログラム８２ｃは、ＣＰＵ８１に、キー入力部６のＥＪＥＣＴキー６１、音量調節キー６２、リモコン４のＥＪＥＣＴキー４１、音量調節キー４２からの入力操作を制限する機能を実現させる。また、キー入力部６のＥＪＥＣＴキー６１、音量調節キー６２、リモコン４のＥＪＥＣＴキー４１、音量調節キー４２からの入力操作が制限されている間、設定されているモードの表示を表示部２にＯＳＤ表示させる機能を実現させる。
【００４２】
ＣＰＵ８１は、かかるＰＯＰモード設定制御プログラム８２ａ、ＰＯＰモードＡ制御プログラム８２ｂ及びＰＯＰモードＢ制御プログラム８２ｃを実行することによって、無効手段及び無効解除手段として機能する。
【００４３】
メモリ部８３は、ＲＡＭ（Random Access Memory）やＥＰＲＯＭ（Erasable Programmable ROM）、フラッシュメモリ等の不揮発性メモリを備えている。メモリ部８３は、ＣＰ
Ｕ８１によって実行される各種プログラム、入力データ、及びプログラムが実行される際に生じる処理結果を記憶する。また、メモリ部８３は、ＰＯＰモード切替キー（ＥＪＥＣＴキー）６１、４１の指示信号により設定されたＰＯＰモード等を記憶する。そして、ＣＰＵ８１は、かかるメモリ部８３に記憶されたＰＯＰモードを適時読み出し、ＲＯＭ８２に格納されたＰＯＰモード設定制御プログラム８２ａ、ＰＯＰモードＡ制御プログラム８２ｂ、ＰＯＰモードＢ制御プログラム８２ｃ等を実行する。
【００４４】
リモコン信号受信部７は、リモコン４の各種キーの押下操作により送信された入力信号を受信して、制御部３に出力する。
【００４５】
ディスク再生部３は、モータ（図示省略）を備えており、制御部３による制御によって
モータが駆動されることにより、ＤＶＤを回転駆動させ、その信号記録面に光を照射し、反射された光を検出させることで、ＤＶＤに記録された情報の読み出しが行われるようになっている。
【００４６】
挿入・排出部５は、モータ５ａを備えており、制御部３による制御によってモータ５ａが駆動されることにより、ＤＶＤ（図示省略）が装填されたトレイ（図示省略）が、キー入力部６とリモコン４の入力操作によって、所定の位置まで引き込まれ、又はキー入力部６のＥＪＥＣＴキー６１とリモコン４のＥＪＥＣＴキー４１の入力操作によって、所定の位置まで排出されるようになっている。
【００４７】
チューナ部９は、図示しないアンテナ等を備え、画像信号・音声信号が変調されて送られるテレビジョン放送波から選択されたチャンネルに対応する周波数の電波を検波、復調して、デコーダ部１０に出力する。
【００４８】
デコーダ部１０は、チューナ部９から入力された音声信号をデコードして音声処理部１３に出力するとともに、チューナ部９から入力された画像信号をデコードして画像処理部１２にＯＳＤ制御部１１を介して出力する。
【００４９】
ＯＳＤ制御部１１は、表示部２に、設定中のモードが、「ＰＯＰモードＡ」、「ＰＯＰモードＢ」、「通常モード」の何れであるかを表示させる制御を行う。具体的には、例えば、表示部２の表示画面２ａの右下隅に「ＰＯＰモードＡ」、「ＰＯＰモードＢ」、「通常モード」の文字表示を、デコーダ部１０から出力された画像データに合成する。
【００５０】
音声処理部１３は、デコーダ部１０から入力された音声データをＤ／Ａ変換して音声出力部に出力する。画像処理部１２は、デコーダ部１０からＯＳＤ制御部１１を介して入力された画像データをＤ／Ａ変換して表示部２に出力する。
【００５１】
表示部２は、例えば、液晶方式等の表示画面２ａ等を備え、チューナ部９により入力された画像信号に基づいて画像を出力する。また、表示部２はＯＳＤ機能を備え、例えば、設定されたＰＯＰモードを表示画面２ａ上に表示する。
【００５２】
音声出力部１４は、内部スピーカ１４ａ等が備わり、チューナ部９により入力された音声信号に基づいて音声を出力する。ＣＰＵ８１は、キー入力部６の音量調節キー６２とリモコン４の音量調節キー４２からの操作入力信号によって、音声出力部１４からの出力される音声の出力レベルを調節する。
【００５３】
次に、図４を参照して、制御部８によって制御されるＰＯＰモード設定処理を説明する。
【００５４】
ＰＯＰモード設定処理は、制御部８によりＰＯＰモード設定制御プログラム８２ａが実行されることにより行われる。
【００５５】
なお、ＰＯＰモード設定処理の開始の時点において、通常モードが設定されていることとする。
【００５６】
ステップＳ１において、ＣＰＵ８１は、キー入力部６のＥＪＥＣＴキー６１の押下操作又はリモコン４のＥＪＥＣＴキー４１の押下操作がされたか否かを判断する。キー入力部６のＥＪＥＣＴキー６１の押下操作又はリモコン４のＥＪＥＣＴキー４１の押下操作がされたと判断すると（ステップＳ１：Ｙｅｓ）、ＣＰＵ８１は、計時部８４に押下時間の計時を開始させる（ステップＳ２）。
【００５７】
次に、ＣＰＵ８１は、計時部８４により計時された押下時間が３秒を超えたか否かを判断する（ステップＳ３）。押下時間が３秒を超えていないと判断すると（ステップＳ３：Ｎｏ）、ＥＪＥＣＴキー６１の操作入力であると判断し、挿入・排出部５のモータ５ａを駆動させ(ステップＳ４)、ＤＶＤが載置されたトレイを所定位置まで移動させる。
【００５８】
一方、ステップＳ３において、押下時間が３秒を超えたと判断すると（ステップＳ３：Ｙｅｓ）、ＣＰＵ８１は、ＰＯＰモード切替キーの操作入力であると判断し、ＰＯＰモードに切り替られたことを表示部２にＯＳＤ表示させる（ステップＳ５）。具体的には、ＣＰＵ８１は、表示部２に、２秒間隔で、「ＰＯＰモードＡ」、「ＰＯＰモードＢ」、「通常モード」の文字表示を繰り返す。
【００５９】
ステップＳ７において、ＣＰＵ８１は、ＰＯＰモード切替キーとして機能するＥＪＥＣＴキー６１又はＥＪＥＣＴキー４１の押下動作が終了したか否か判断し（ステップＳ６）、終了したと判断すると（ステップＳ６：Ｙｅｓ）、ＯＳＤ表示を停止させる(ステップ
Ｓ７)。ステップＳ８で、ＣＰＵは、押下操作が終了された時点でＯＳＤ表示されている
「ＰＯＰモードＡ」、「ＰＯＰモードＢ」、「通常モード」の何れか一つのモードを、選択されたモードとして、メモリ部８３に記憶させ、本処理を終了する。
【００６０】
また、ＰＯＰモードＡ又はＰＯＰモードＢが設定された状態で、ＰＯＰモードを解除して通常モードに戻す場合には、ＰＯＰモード設定処理と同様に、キー入力部６のＥＪＥＣＴキー６１の押下操作又はリモコン４のＥＪＥＣＴキー４１の押下操作を３秒間以上続けることにより、表示部２に、「ＰＯＰモードＡ」、「ＰＯＰモードＢ」、「通常モード」の文字表示が繰り返して表示される中、表示部２に「通常モード」とＯＳＤ表示されている時点でキー入力部６のＰＯＰモード切替キーとして機能するＥＪＥＣＴキー６１又はＥＪＥＣＴキー４１の押下操作を止めることにより、「ＰＯＰモードＡ」が解除されて「通常モード」に設定されることとなる。
【００６１】
また、「ＰＯＰモードＡ」が設定された状態で、「ＰＯＰモードＢ」に変更する場合には、ＰＯＰモード設定処理と同様に、キー入力部６のＥＪＥＣＴキー６１の押下操作又はリモコン４のＥＪＥＣＴキー４１の押下操作を３秒間以上続けることにより、表示部２に、「ＰＯＰモードＡ」、「ＰＯＰモードＢ」、「通常モード」の文字表示が繰り返して表示される中、表示部２に「ＰＯＰモードＢ」とＯＳＤ表示されている時点でキー入力部６のＰＯＰモード切替キーとして機能するＥＪＥＣＴキー６１又はＥＪＥＣＴキー４１の押下操作を止めることにより、ＰＯＰモードＢに変更されることとなる。
【００６２】
次に、制御部８により実行されるＰＯＰモードＡ制御プログラム８２ｂとＰＯＰモードＢ制御プログラム８２ｃの動作処理を説明する。
【００６３】
制御部８によりＰＯＰモードＡ制御プログラム８２ｂが実行されると、キー入力部６のＥＪＥＣＴキー６１、リモコン４のＥＪＥＣＴキー４１による入力操作が無効とされる。すなわち、キー入力部６のＥＪＥＣＴキー６１、リモコン４のＥＪＥＣＴキー４１が操作され、指示信号が入力されても、制御部８は挿入・排出部５のモータ５ａを駆動させる指示信号を出力しないこととなる。しかし、キー入力部６の音量調節キー６２とリモコン４の音量調節キー４２等による入力操作は制限されないので、キー入力部６の音量調節キー６２又はリモコン４の音量調節キー４２が操作されて、指示信号が入力されると、制御部８は音声出力部１４の内部スピーカ１４ａに音声の出力レベルを変更させる指示信号を出力することとなる。
【００６４】
また、制御部８によりＰＯＰモードＢ制御プログラム８２ｃが実行されると、ＰＯＰモードＡ制御プログラム８２ｂで制限されるキー入力部６のＥＪＥＣＴキー６1とリモコン
４のＥＪＥＣＴキー４１に加え、キー入力部６の音量調節キー６２とリモコン４の音量調節キー４２による入力操作が制限される。すなわち、キー入力部６の音量調節キー６２又はリモコン４の音量調節キー４２が操作され、指示信号が入力されても、音声出力部１４の内部スピーカ１４ａに音声の出力レベルを変更させる指示信号の出力は制限され、例えば、出力レベルを３以下又は７以上に変更させる指示信号は出力しないこととなる。
【００６５】
以上説明した本発明に係るＰＯＰ用ＤＶＤ再生機能付テレビジョン装置１００によれば、キー入力部６のＰＯＰモード切替キーとして機能するＥＪＥＣＴキー６１又はＥＪＥＣＴキー４１を操作することにより、ＰＯＰモードＡ又はＰＯＰモードＢを設定し、店を訪れる客による勝手な入力操作を防止することができる。
【００６６】
また、ＰＯＰモードＡ或いはＰＯＰモードＢが設定された状態で、キー入力部６のＰＯＰモード切替キーとして機能するＥＪＥＣＴキー６１又はＥＪＥＣＴキー４１を操作することにより、ＰＯＰモードＡ又はＰＯＰモードＢを解除し通常モードに戻して、制限されることなく自由に入力操作を行うことができる。
【００６７】
具体的には、ＰＯＰモードＡが設定されると、キー入力部６のＥＪＥＣＴキー６１とリモコン４のＥＪＥＣＴキー４１による入力操作が制限されるため、客による勝手なＥＪＥＣＴキー６１、４１の操作によるディスクの盗難を防止することができる。
【００６８】
また、ＰＯＰモードＢが設定されるとキー入力部６のＥＪＥＣＴキー６１・音量調節キー６２と、リモコン４のＥＪＥＣＴキー４１・音量調節キー４２による入力操作が制限されるため、客による勝手なＥＪＥＣＴキー６１、４１と、音量調節キー６２、４２の操作によるディスクの盗難と、音量の調節を防止することができる。
【００６９】
なお、本発明は、上記実施の形態に限定されることなく、本発明の趣旨を逸脱しない範囲において、種々の改良並びに設計の変更を行ってもよい。
【００７０】
例えば、ＰＯＰ用電子機器としてＤＶＤ再生機能付テレビジョン装置１００を用いたが、テレビジョン装置、ＶＣＲ（Video Cassette Recorder）、ＤＶＤ（Digital Versatile
Disc）プレーヤ、ＣＤプレーヤ等であってもよい。
【００７１】
また、ＰＯＰモードとして二つのＰＯＰモードを設けたが、ＰＯＰモードは幾つ設けてもよく、またＰＯＰモードで制限又は無効とされる入力操作は自由に設定してよい。具体的には、制限又は無効を解除するキー以外のすべてのキーの入力操作を無効にしてもよいし、或いは、店側で無効或いは制限するキーを設定して、これをメモリ部８３に記憶することにより、メモリ部８３に記憶された操作入力のみを無効或いは制限することができるようにしてもよい。
【００７２】
また、ＰＯＰモード切り替えのための所定の動作を、他のキーと共有するキー入力部６又はリモコン４のキーを３秒間以上押下操作する設計としたが、ＰＯＰモード切り替えのための専用のキーを設ける設計であってもよいし、リモコン４のテンキーを操作して暗証番号を入力することによりＰＯＰモードを切り替える設計であってもよい。
【００７３】
また、ＰＯＰモード報知する手段として、ＯＳＤ表示以外に、例えば、ＰＯＰモード報知ランプを設けてもよい。ＰＯＰモード報知ランプは、例えば、ＬＥＤ（Light Emitting
Diode）等から成り、ＰＯＰモードが設定されている間、その旨がユーザに報知される。具体的には、ＰＯＰモードＡを赤色の点灯、ＰＯＰモードＢを青色の点灯、通常モードを消灯によって、設定されているモードが報知される。また、ＰＯＰモード報知報知手段は、数字表示できるように配列した７セグメントのＬＥＤ（Light Emitting Diode）を設けてもよい。
【００７４】
また、例えば、ＰＯＰモードＡが設定された状態でＰＯＰ用ＤＶＤ付テレビ１００の主電源をＯＦＦにすると、メモリ部８３にはＰＯＰモードＡと記憶されたまま保存されるようにしてもよい。従って、再び主電源をＯＮにすると、制御部は、前記ＰＯＰモード設定処理を実行することなく、メモリ部８３を読み出してＰＯＰモードＡ制御プログラムを実行することとなる。
【図面の簡単な説明】
【００７５】
【図１】ＰＯＰ用ＤＶＤ再生機能付テレビジョン装置の正面図である。
【図２】ＥＪＥＣＴキー（ＰＯＰモード切替キー）に要する押下時間を示すタイムチャートである。
【図３】ＰＯＰ用ＤＶＤ再生機能付テレビジョン装置の内部構成を示すブロック図である。
【図４】ＰＯＰモード移行動作処理のフローチャートである。
【符号の説明】
【００７６】
１００  ＰＯＰ用ＤＶＤ再生機能付テレビジョン装置
３      ディスク再生部
４      リモートコントローラ（操作入力部）
４１    ＥＪＥＣＴキー（ＰＯＰモード切替キー）
４２    音量調節キー
５      挿入・排出部
６      キー入力部（操作入力部）
６１    ＥＪＥＣＴキー（ＰＯＰモード切替キー）
６２    音量調節キー
８１    ＣＰＵ（無効手段、無効解除手段）
１４    音声出力部
【図１】
2007018653.tif 000003
【図２】
2007018653.tif 000004
【図３】
2007018653.tif 000005
【図４】
2007018653.tif 000006